(57)【要約】【課題】タグ情報の取得を通じたコンテンツの提供に際して、タグの位置を示す情報の利用を可能とするように、情報を管理することのできる情報管理サーバ、情報提供システム、情報提供方法、および、情報管理プログラムを提供する。【解決手段】情報管理サーバ４０は、タグ１０が有するタグ情報を受信する端末２０からタグ情報を受け取る受信部と、タグ１０の位置を示す情報である位置情報と、コンテンツの提供元に関する情報であるコンテンツ情報とをタグ情報に対応付けて記憶する記憶部と、端末２０から受け取ったタグ情報に対応付けられる位置情報とコンテンツ情報とを特定する情報特定部と、特定された位置情報とコンテンツ情報とを出力する出力部と、を備える。【選択図】図１
2015138278.tif 000002
【特許請求の範囲】
【請求項１】
タグが有するタグ情報を受信する端末から前記タグ情報を受け取る受信部と、
前記タグの位置を示す情報である位置情報と、コンテンツの提供元に関する情報であるコンテンツ情報とをタグ情報に対応付けて記憶する記憶部と、
前記端末から受け取った前記タグ情報に対応付けられる前記位置情報と前記コンテンツ情報とを特定する情報特定部と、
前記特定された前記位置情報と前記コンテンツ情報とを出力する出力部と、
を備える情報管理サーバ。
【請求項２】
前記端末から受け取った前記タグ情報に対応付けられる前記コンテンツ情報は、前記コンテンツとして、位置を示す情報を利用して地図を提供するサーバのアドレスである
請求項１に記載の情報管理サーバ。
【請求項３】
タグが有するタグ情報を受信する端末と、
前記端末とネットワークを介して接続する情報管理サーバと、を備え、
前記情報管理サーバは、
前記端末から前記タグ情報を受け取る受信部と、
前記タグの位置を示す情報である位置情報と、コンテンツの提供元に関する情報であるコンテンツ情報とをタグ情報に対応付けて記憶する記憶部と、
前記端末から受け取った前記タグ情報に対応付けられる前記位置情報と前記コンテンツ情報とを特定する情報特定部と、
前記特定された前記位置情報と前記コンテンツ情報とを出力する出力部と、を備える
情報提供システム。
【請求項４】
前記端末とネットワークを介して接続し、前記コンテンツとして、位置を示す情報を利用して地図を提供するコンテンツ提供サーバをさらに備え、
前記端末から受け取った前記タグ情報に対応付けられる前記コンテンツ情報は、前記コンテンツ提供サーバのアドレスであり、
前記出力部は、前記特定された前記位置情報と前記コンテンツ情報とを前記端末に出力し、
前記端末は、前記コンテンツ情報に基づいて、前記位置情報を前記コンテンツ提供サーバに送信し、
前記コンテンツ提供サーバは、前記端末から受信した前記位置情報に応じた地図のデータを前記端末に送信する
請求項３に記載の情報提供システム。
【請求項５】
前記コンテンツ提供サーバは、前記コンテンツとして、現在地から目的地までの推奨経路が示された地図を提供するサーバであり、
前記端末は、前記位置情報に加えて、前記端末に入力された目的地情報を前記コンテンツ提供サーバに送信し、
前記コンテンツ提供サーバは、前記端末から受信した前記位置情報に応じた位置を前記現在地とし、前記端末から受信した前記目的地情報に応じた位置を前記目的地として、前記推奨経路が示された地図のデータを前記端末に送信する
請求項４に記載の情報提供システム。
【請求項６】
タグが有するタグ情報を受信する端末と、
前記端末とネットワークを介して接続する情報管理サーバと、を用いて行われる情報提供方法であって、
前記情報管理サーバが、前記端末から前記タグ情報を受け取るステップと、
前記情報管理サーバが、前記タグの位置を示す情報である位置情報とコンテンツの提供元に関する情報であるコンテンツ情報とがタグ情報に対応付けられたデータを用いて、前記端末から受け取った前記タグ情報に対応付けられる前記位置情報と前記コンテンツ情報とを特定するステップと、
前記特定された前記位置情報と前記コンテンツ情報とが出力されるステップと、
を含む情報提供方法。
【請求項７】
タグが有するタグ情報を読み取る端末とネットワークを介して接続する情報管理サーバを、
前記端末から前記タグ情報を受け取る受信部と、
前記タグの位置を示す情報である位置情報と、コンテンツの提供元に関する情報であるコンテンツ情報とをタグ情報に対応付けて記憶する記憶部と、
前記端末から受け取った前記タグ情報に対応付けられる前記位置情報と前記コンテンツ情報とを特定する情報特定部と、
前記特定された前記位置情報と前記コンテンツ情報とを出力する出力部と、
として機能させる情報管理プログラム。
【発明の詳細な説明】
【技術分野】
【０００１】
本開示の技術は、コンテンツの提供に用いられる情報管理サーバ、情報提供システム、情報提供方法、および、情報管理プログラムに関する。
【背景技術】
【０００２】
スマートポスターやデジタルサイネージ等の広告媒体に取り付けられるＩＣタグには、例えば、広告媒体に掲載されている商品に関するウェブサイトのＵＲＬ等がタグ情報として記憶されている。そして、ＩＣタグが有するタグ情報は、利用者が所持するスマートフォン等の端末に読み取られ、読み取られたタグ情報に基づいて、端末から上記ウェブサイト等へのアクセスが行われる。これにより、上記ウェブサイト等が提供するコンテンツが利用者に提供される（例えば特許文献１、特許文献２参照）。
【先行技術文献】
【特許文献】
【０００３】
【特許文献１】特開２００２−１６２９１８号公報
【特許文献２】特開２００２−２１５０４９号公報
【発明の概要】
【発明が解決しようとする課題】
【０００４】
ところで、上述のＩＣタグを用いたコンテンツの提供では、利用者の所持する端末がＩＣタグから取得できる情報は、予めＩＣタグに記憶されているタグ情報のみに限られ、結果として、利用者に提供されるコンテンツは、予めＩＣタグに記憶されているタグ情報のみに基づいて端末が取得するコンテンツに限られる。
【０００５】
一方、ＩＣタグが取り付けられる広告媒体は、通常、不特定多数の人が行き来する街頭や駅などの様々な場所に設置されるため、コンテンツの提供に際して広告媒体が設置されている位置に関する情報の利用が可能であれば、提供されるコンテンツの有意性が高まる。それゆえ、コンテンツの提供に際してＩＣタグの位置を示す情報の利用を可能とするように、ＩＣタグの位置を示す情報やコンテンツに関する情報等の情報を管理することが求められる。
【０００６】
本開示の技術は、タグ情報の取得を通じたコンテンツの提供に際して、タグの位置を示す情報の利用を可能とするように、情報を管理することのできる情報管理サーバ、情報提供システム、情報提供方法、および、情報管理プログラムを提供することを目的とする。
【課題を解決するための手段】
【０００７】
上記課題を解決する情報管理サーバは、タグが有するタグ情報を受信する端末から前記タグ情報を受け取る受信部と、前記タグの位置を示す情報である位置情報と、コンテンツの提供元に関する情報であるコンテンツ情報とをタグ情報に対応付けて記憶する記憶部と、前記端末から受け取った前記タグ情報に対応付けられる前記位置情報と前記コンテンツ情報とを特定する情報特定部と、前記特定された前記位置情報と前記コンテンツ情報とを出力する出力部と、を備える。
【０００８】
上記課題を解決する情報提供システムは、タグが有するタグ情報を受信する端末と、前記端末とネットワークを介して接続する情報管理サーバと、を備え、前記情報管理サーバは、前記端末から前記タグ情報を受け取る受信部と、前記タグの位置を示す情報である位置情報と、コンテンツの提供元に関する情報であるコンテンツ情報とをタグ情報に対応付けて記憶する記憶部と、前記端末から受け取った前記タグ情報に対応付けられる前記位置情報と前記コンテンツ情報とを特定する情報特定部と、前記特定された前記位置情報と前記コンテンツ情報とを出力する出力部と、を備える。
【０００９】
上記課題を解決する情報提供方法は、タグが有するタグ情報を受信する端末と、前記端末とネットワークを介して接続する情報管理サーバと、を用いて行われる情報提供方法であって、前記情報管理サーバが、前記端末から前記タグ情報を受け取るステップと、前記情報管理サーバが、前記タグの位置を示す情報である位置情報とコンテンツの提供元に関する情報であるコンテンツ情報とがタグ情報に対応付けられたデータを用いて、前記端末から受け取った前記タグ情報に対応付けられる前記位置情報と前記コンテンツ情報とを特定するステップと、前記特定された前記位置情報と前記コンテンツ情報とが出力されるステップと、を含む。
【００１０】
上記課題を解決する情報管理プログラムは、タグが有するタグ情報を読み取る端末とネットワークを介して接続する情報管理サーバを、前記端末から前記タグ情報を受け取る受信部と、前記タグの位置を示す情報である位置情報と、コンテンツの提供元に関する情報であるコンテンツ情報とをタグ情報に対応付けて記憶する記憶部と、前記端末から受け取った前記タグ情報に対応付けられる前記位置情報と前記コンテンツ情報とを特定する情報特定部と、前記特定された前記位置情報と前記コンテンツ情報とを出力する出力部と、として機能させる。
【００１１】
上記構成によれば、情報管理サーバがタグ情報に対応付けて記憶しているタグの位置情報およびコンテンツ情報のうち、情報管理サーバが端末から受け取ったタグ情報に合致するタグ情報に対応付けられている位置情報とコンテンツ情報とが特定されて出力される。位置情報とコンテンツ情報とが併せて出力されるため、情報の出力を受けた装置は、位置情報とコンテンツ情報とを併せて利用することが可能であり、コンテンツの提供に際しての位置情報の利用も可能となる。結果として、タグ情報の取得を通じたコンテンツの提供に際して、タグの位置を示す情報の利用を可能とするように、情報を管理することができる。
【００１２】
上記情報管理サーバにおいて、前記端末から受け取った前記タグ情報に対応付けられる前記コンテンツ情報は、前記コンテンツとして、位置を示す情報を利用して地図を提供するサーバのアドレスであることが好ましい。
【００１３】
上記構成によれば、コンテンツの提供元が、位置を示す情報を利用して地図を提供するサーバであるため、コンテンツの提供に際してタグの位置を示す情報の利用が可能となることによって、提供されるコンテンツの有意性が高められる。
【００１４】
上記情報提供システムは、前記端末とネットワークを介して接続し、前記コンテンツとして、位置を示す情報を利用して地図を提供するコンテンツ提供サーバをさらに備え、前記端末から受け取った前記タグ情報に対応付けられる前記コンテンツ情報は、前記コンテンツ提供サーバのアドレスであり、前記出力部は、前記特定された前記位置情報と前記コンテンツ情報とを前記端末に出力し、前記端末は、前記コンテンツ情報に基づいて、前記位置情報を前記コンテンツ提供サーバに送信し、前記コンテンツ提供サーバは、前記端末から受信した前記位置情報に応じた地図のデータを前記端末に送信することが好ましい。
【００１５】
上記構成によれば、コンテンツ提供サーバが、情報管理サーバから端末へ出力されたタグの位置情報を利用して、その位置情報に応じた地図のデータを端末に送信する。したがって、コンテンツの提供に際して、タグの位置を示す情報が有効に利用される。
【００１６】
上記情報提供システムにおいて、前記コンテンツ提供サーバは、前記コンテンツとして、現在地から目的地までの推奨経路が示された地図を提供するサーバであり、前記端末は、前記位置情報に加えて、前記端末に入力された目的地情報を前記コンテンツ提供サーバに送信し、前記コンテンツ提供サーバは、前記端末から受信した前記位置情報に応じた位置を前記現在地とし、前記端末から受信した前記目的地情報に応じた位置を前記目的地として、前記推奨経路が示された地図のデータを前記端末に送信することが好ましい。
【００１７】
上記構成によれば、位置情報に加えて、目的地情報がコンテンツ提供サーバに送信され、コンテンツ提供サーバは、これらの情報を利用して、現在地から目的地までの推奨経路が示された地図のデータを端末に送信する。したがって、より有意なコンテンツが提供される。
【発明の効果】
【００１８】
本開示の技術によれば、タグ情報の取得を通じたコンテンツの提供に際して、タグの位置を示す情報の利用を可能とするように、情報を管理することができる。
【図面の簡単な説明】
【００１９】
【図１】本開示の技術における一実施形態の情報提供システムの全体構成を示すシステム構成図である。
【図２】一実施形態における情報管理サーバの装置構成を示すブロック図である。
【図３】一実施形態におけるタグ情報と位置情報およびコンテンツ情報との対応関係を示す図である。
【図４】一実施形態でのコンテンツの提供の手順を示すシーケンス図である。
【図５】コンテンツとして提供される推奨経路が示された地図の一例を示す図である。
【発明を実施するための形態】
【００２０】
図１〜図４を参照して、情報管理サーバ、情報提供システム、情報提供方法、および、情報管理プログラムの一実施形態について説明する。
［情報提供システムの構成］
図１を参照して、情報提供システムの全体構成について説明する。
【００２１】
図１に示されるように、情報提供システムは、ＩＣタグ１０と、ユーザ端末２０と、コンテンツ提供サーバ３０と、情報管理サーバ４０とを含む。ユーザ端末２０と、コンテンツ提供サーバ３０と、情報管理サーバ４０とは、インターネット等のネットワークＮＷに接続されて、相互にデータを送信および受信する。
【００２２】
ＩＣタグ１０は、ＩＣチップやアンテナを備え、近距離無線通信によるデータの送受信が可能な装置である。ＩＣタグ１０の備えるＩＣチップは、タグ情報Ｉｔを記憶している。ＩＣタグ１０が有するタグ情報Ｉｔは、当該ＩＣタグ１０に固有の情報であって、ＩＣタグ１０ごとに割り当てられている。本実施形態において、タグ情報Ｉｔは、情報管理サーバ４０におけるアクセス先を示すアドレスとしてのＵＲＬ（ユニフォーム・リソース・ロケータ）に具体化される。ＩＣタグ１０は、例えば、街頭や駅や商業施設に設置されるスマートポスターやデジタルサイネージ等の広告媒体に埋め込まれている。あるいは、ＩＣタグ１０は、広告が付随しない状態で、情報提供システムの利用方法や提供されるコンテンツの内容等が示された案内とともに、街頭や駅や商業施設等の所定の場所に設置されてもよい。
【００２３】
ユーザ端末２０は、近距離無線通信機能、ネットワークＮＷへの接続機能、および、ウェブサイトの閲覧機能を備える端末であり、例えば、ＮＦＣ（ニア・フィールド・コミュニケーション）に対応したスマートフォンに具体化される。ユーザ端末２０は、ＩＣタグ１０に割り当てられたタグ情報ＩｔをＩＣタグ１０から非接触で読み取り、読み取られたタグ情報Ｉｔに基づいて情報管理サーバ４０にアクセスする。そして、ユーザ端末２０は、情報管理サーバ４０から、ＩＣタグ１０の位置を示す位置情報Ｉｐとコンテンツの提供元を示すコンテンツ情報Ｉｃとを受信し、受信した情報に基づいてコンテンツ提供サーバ３０にアクセスする。なお、ネットワークＮＷには、こうした複数のユーザ端末２０が接続される。
【００２４】
コンテンツ提供サーバ３０は、コンテンツを提供するウェブサイトを構築している。コンテンツ提供サーバ３０が提供するコンテンツには、ウェブサイト上で提供される文字情報や静止画や動画や音声が含まれる。コンテンツ提供サーバ３０は、ユーザ端末２０からのアクセスに応じて、ユーザ端末２０から受信した位置情報Ｉｐに応じたコンテンツをユーザ端末２０に送信する。コンテンツ提供サーバ３０は、例えば、コンテンツとして、現在地から目的地までの推奨経路が示された地図を提供するサーバに具体化される。なお、ネットワークＮＷには、相互に異なるコンテンツを提供する複数のコンテンツ提供サーバ３０がコンテンツの提供元として接続されてもよい。
【００２５】
情報管理サーバ４０は、ユーザ端末２０からのアクセスに応じて、ＩＣタグ１０の位置情報Ｉｐとコンテンツ情報Ｉｃとを特定する。そして、情報管理サーバ４０は、特定された位置情報Ｉｐおよびコンテンツ情報Ｉｃをユーザ端末２０に送信する。本実施形態において、位置情報Ｉｐは、地表での位置を特定する情報である緯度および経度に具体化され、コンテンツ情報Ｉｃは、コンテンツ提供サーバ３０におけるアクセス先を示すアドレスとしてのＵＲＬに具体化される。
【００２６】
［情報管理サーバの構成］
図２および図３を参照して、情報管理サーバ４０の構成について説明する。
図２に示されるように、情報管理サーバ４０は、通信部４１と、制御部４２と、記憶部４３とを備えている。
【００２７】
通信部４１は、情報管理サーバ４０とユーザ端末２０との接続処理を実行する。また、通信部４１は、受信部および出力部として機能し、情報管理サーバ４０とユーザ端末２０との間でデータの送信および受信を行う。
【００２８】
制御部４２は、ＣＰＵを含み、記憶部４３に記憶されたプログラムやデータに基づいて、通信部４１における通信の制御や記憶部４３における情報の読み出しを含め、各種の演算処理や情報管理サーバ４０の各部の制御を行う。
【００２９】
制御部４２は、情報提供システムによる情報提供方法を実現する構成の一部として、情報特定部４２ａを備えている。情報特定部４２ａは、通信部４１が受信したユーザ端末２０からのリクエストに応じ、記憶部４３に記憶された対応コンテンツデータ４３ａに基づいて、位置情報Ｉｐとコンテンツ情報Ｉｃとを特定する。特定された位置情報Ｉｐとコンテンツ情報Ｉｃとは、通信部４１からユーザ端末２０に出力される。
【００３０】
記憶部４３は、制御部４２の処理に必要なプログラムやデータを一時的あるいは永続的に記憶する。こうしたデータの一例として、記憶部４３は、上記の対応コンテンツデータ４３ａを記憶している。対応コンテンツデータ４３ａでは、タグ情報ＩｔとＩＣタグ１０の位置情報Ｉｐおよびコンテンツ情報Ｉｃとが対応付けられている。
【００３１】
なお、制御部４２の情報特定部４２ａとしての機能は、複数のＣＰＵやメモリ等の各種のハードウェアによって具体化されてもよく、共通する１つのハードウェアに複数の機能を与えるソフトウェアによって具体化されてもよい。こうしたソフトウェアは、情報管理プログラムとして、記憶部４３に記憶される。
【００３２】
図３を参照して、ＩＣタグ１０が有するタグ情報Ｉｔと、対応コンテンツデータ４３ａを構成する位置情報Ｉｐおよびコンテンツ情報Ｉｃとの対応関係について説明する。
図３に示されるように、タグの識別情報がタグＩＤとして設定され、１つのタグＩＤには、１つのタグ情報Ｉｔが対応付けられている。また、対応コンテンツデータ４３ａにおいて、１つの位置情報Ｉｐおよび１つのコンテンツ情報Ｉｃは、１つのタグ情報Ｉｔに対応付けられる状態で記憶されている。
【００３３】
例えば、「００１」のタグＩＤを有するＩＣタグ１０には、タグ情報Ｉｔとして「ｈｔｔｐ：／／△△／ａｂｃ」が記憶されている。すなわち、「００１」というタグＩＤは、「ｈｔｔｐ：／／△△／ａｂｃ」というタグ情報Ｉｔと対応付けられている。ここで、タグ情報ＩｔとしてのＵＲＬのうち、「△△」は、情報管理サーバ４０のドメイン名を示す。また、「ａｂｃ」は、情報管理サーバ４０内におけるファイルのパス名を示す。すなわち、「００１」のタグＩＤには、情報管理サーバ４０の「ａｂｃ」に対応するファイルをアクセス先として指定する情報が対応付けられている。
【００３４】
そして、タグ情報Ｉｔにて指定されるアクセス先のファイル、すなわち「ａｂｃ」に対応するファイルには、「００１」のタグＩＤを有するＩＣタグ１０が設置されている位置を示す位置情報Ｉｐと「Ａコンテンツ」を提供するコンテンツ提供サーバ３０のＵＲＬであるコンテンツ情報Ｉｃとが記憶されている。「Ａコンテンツ」は、例えば、現在地から目的地までの推奨経路が示される地図であり、コンテンツ情報ＩｃとしてのＵＲＬは、コンテンツ提供サーバ３０にて現在地と目的地との情報を受付けるＵＲＬである。このように、タグ情報Ｉｔには、位置情報Ｉｐとコンテンツ情報Ｉｃとが対応付けられている。
【００３５】
互いに異なるタグＩＤを有するＩＣタグ１０には、互いに異なるタグ情報Ｉｔが記憶されている。同一の場所に複数のＩＣタグが設置される場合を除いて、互いに異なるタグ情報Ｉｔには、互いに異なる位置情報Ｉｐが対応付けられている。また、互いに異なるタグ情報Ｉｔに対応付けられるコンテンツ情報Ｉｃは、互いに異なってもよいし、同一であってもよい。
【００３６】
［情報提供システムの作用］
図４を参照して、情報提供システムによるコンテンツの提供の手順について説明する。なお、以下では、ＩＣタグ１０が街頭に設置され、このＩＣタグ１０が有するタグ情報Ｉｔと情報管理サーバ４０にて対応付けられているコンテンツ情報Ｉｃが、現在地から目的地までの推奨経路が示された地図を提供するサーバのアクセス先を示すＵＲＬである例について説明する。
【００３７】
まず、ユーザによって、ユーザ端末２０における近距離無線通信によるデータの読み取り部がＩＣタグ１０にかざされる。これにより、ＩＣタグ１０に記憶されているタグ情報Ｉｔが、ユーザ端末２０に読み取られる（ステップＳ１０）。タグ情報Ｉｔが読み取られると、ユーザ端末２０は、タグ情報Ｉｔによって特定される情報管理サーバ４０のアクセス先に対するリクエストを情報管理サーバ４０に送信する（ステップＳ１１）。すなわち、情報管理サーバ４０は、アクセス先として指定された態様で、ユーザ端末２０からタグ情報Ｉｔを受け取る。
【００３８】
情報管理サーバ４０の情報特定部４２ａは、ユーザ端末２０からのリクエストに応じ、記憶部４３に記憶されている対応コンテンツデータ４３ａを参照して、指定されたアクセス先に記憶される位置情報Ｉｐおよびコンテンツ情報Ｉｃを特定する（ステップＳ１２）。そして、情報特定部４２ａは、通信部４１を介して、特定された位置情報Ｉｐとコンテンツ情報Ｉｃとをレスポンスとしてユーザ端末２０に送信する。これにより、ＩＣタグ１０が有するタグ情報Ｉｔに情報管理サーバ４０にて対応付けられている位置情報Ｉｐとコンテンツ情報Ｉｃとがユーザ端末２０に送信される（ステップＳ１３）。
【００３９】
情報管理サーバ４０から位置情報Ｉｐとコンテンツ情報Ｉｃとを受信すると、ユーザ端末２０が備える表示部には、目的地の入力画面が表示される。ユーザは、ユーザ端末２０を操作して、ユーザ端末２０に目的地を入力する（ステップＳ１４）。
【００４０】
目的地が入力されると、ユーザ端末２０は、情報管理サーバ４０から受信したコンテンツ情報Ｉｃに基づき、コンテンツ情報Ｉｃによって特定されるコンテンツ提供サーバ３０のアクセス先に対するリクエストをコンテンツ提供サーバ３０に送信する。このとき、ユーザ端末２０は、情報管理サーバ４０から受信した位置情報Ｉｐと、ユーザ端末２０に入力された目的地の情報とをコンテンツ提供サーバ３０に送信する（ステップＳ１５）。
【００４１】
コンテンツ提供サーバ３０は、ユーザ端末２０からのリクエストに応じ、レスポンスとしてコンテンツをユーザ端末２０に送信する。具体的には、コンテンツ提供サーバ３０は、ユーザ端末２０から受信した位置情報Ｉｐによって特定される位置を現在地として、ユーザ端末２０から受信した目的地までの推奨経路が示された地図のデータをユーザ端末２０に送信する（ステップＳ１６）。
【００４２】
コンテンツ提供サーバ３０からコンテンツを受信すると、ユーザ端末２０は、受信したコンテンツを表示部に表示する（ステップＳ１７）。すなわち、ユーザ端末２０には、ＩＣタグ１０の位置から、ユーザ端末２０に入力された目的地までの推奨経路が示された地図が表示され、これにより、コンテンツがユーザに提供される。
【００４３】
このように、情報管理サーバ４０では、ＩＣタグ１０が有するタグ情報Ｉｔと、ＩＣタグ１０の位置を示す位置情報Ｉｐと、コンテンツの提供元を示すコンテンツ情報Ｉｃとが対応付けられている。そして、情報管理サーバ４０は、ユーザ端末２０から受け取ったタグ情報Ｉｔと合致するタグ情報Ｉｔに対応付けられている位置情報Ｉｐとコンテンツ情報Ｉｃとを特定して、ユーザ端末２０へ位置情報Ｉｐとコンテンツ情報Ｉｃとを送信する。位置情報Ｉｐとコンテンツ情報Ｉｃとが併せて出力されるため、情報の出力を受けたユーザ端末２０は、位置情報Ｉｐとコンテンツ情報Ｉｃとを併せて利用することができる。具体的には、ユーザ端末２０は、位置情報Ｉｐとコンテンツ情報Ｉｃとを利用して、コンテンツ提供サーバ３０に位置情報Ｉｐを送信することにより、位置情報Ｉｐを利用したコンテンツの提供を受けることができる。
【００４４】
すなわち、こうした態様で位置情報Ｉｐとコンテンツ情報Ｉｃとが管理されることにより、タグ情報Ｉｔの取得を通じたコンテンツの提供に際して、ＩＣタグ１０の位置を示す情報の利用を可能とするように、情報を管理することができる。
【００４５】
また、本実施形態では、位置情報Ｉｐが予め情報管理サーバ４０に記憶されている。そのため、例えば、ユーザ端末２０がＧＰＳ（グローパル・ポジショニング・システム）を利用して取得した位置情報がコンテンツの提供に利用される場合と比較して、こうした位置情報の取得機能を備えない端末や、ＧＰＳ衛星からの電波の受信ができない環境におかれる端末であっても、位置情報を利用したコンテンツの提供を受けることができる。また、ＧＰＳを利用した位置情報のように、その都度測定される位置情報と比較して、実際の位置に対するずれが生じることも抑えられる。
【００４６】
また、本実施形態では、ＩＣタグ１０とコンテンツとの対応付けが、情報管理サーバ４０にてまとめて管理されている。そのため、ＩＣタグ１０がタグ情報Ｉｔとしてコンテンツ提供サーバ３０のアドレスを有する場合のように、ＩＣタグ１０にてＩＣタグ１０とコンテンツとが対応付けられ、ＩＣタグ１０とコンテンツとの対応付けがＩＣタグ１０ごとに管理される形態と比較して、ＩＣタグ１０とコンテンツとの対応付けの管理が容易になる。例えば、ＩＣタグ１０を通じて提供されるコンテンツを確認する際にも、ＩＣタグ１０の設置場所への移動や設置場所でのタグ情報Ｉｔの取得を行わずとも、情報管理サーバ４０が有する対応コンテンツデータ４３ａの確認によってコンテンツの確認が可能であるため、確認作業に要する労力が軽減される。
【００４７】
以上説明したように、本実施形態によれば、以下に列挙する効果が得られる。
（１）情報管理サーバ４０は、ユーザ端末２０が受信するタグ情報Ｉｔに基づいて、位置情報Ｉｐとコンテンツ情報Ｉｃとを出力する。したがって、情報の出力を受けた装置は、位置情報Ｉｐとコンテンツ情報Ｉｃとを併せて利用することができる。結果として、タグ情報Ｉｔの取得を通じたコンテンツの提供に際して、ＩＣタグ１０の位置を示す情報の利用を可能とするように、情報を管理することができる。
【００４８】
（２）タグ情報Ｉｔに対応付けられているコンテンツ情報Ｉｃが、コンテンツとして、位置を示す情報を利用して地図を提供するサーバのアドレスであるため、コンテンツの提供に際してＩＣタグ１０の位置を示す情報の利用が可能となることによって、提供されるコンテンツの有意性が高められる。換言すれば、コンテンツ提供サーバ３０は、位置情報Ｉｐを利用して、位置情報Ｉｐに応じた地図のデータを端末に送信するため、コンテンツの提供に際して、ＩＣタグ１０の位置を示す情報が有効に利用される。
【００４９】
（３）位置情報Ｉｐに加えて、目的地の情報がユーザ端末２０からコンテンツ提供サーバ３０に送信され、コンテンツ提供サーバ３０は、これらの情報を利用して、現在地から目的地までの推奨経路が示された地図のデータをユーザ端末２０に送信する。したがって、より有意なコンテンツが提供される。
【００５０】
（変形例）
上記実施形態は、以下のように変更して実施することが可能である。
・ＩＣタグ１０は、タグＩＤのみを記憶し、情報管理サーバ４０の記憶部４３は、位置情報Ｉｐとコンテンツ情報ＩｃとをタグＩＤに対応付けて記憶してもよい。この構成にて、ユーザ端末２０によって読み取られたＩＣタグ１０のタグＩＤは、ユーザ端末２０から情報管理サーバ４０に送信され、情報管理サーバ４０は、受信されたタグＩＤに対応付けられている位置情報Ｉｐとコンテンツ情報Ｉｃとを特定する。要するに、ＩＣタグ１０が有するタグ情報Ｉｔは、ＵＲＬに限らず、当該タグに固有の情報であって、タグごとに割り当てられた情報であればよい。そして、情報管理サーバ４０の記憶部４３は、位置情報Ｉｐとコンテンツ情報Ｉｃとをタグ情報Ｉｔに対応付けて記憶する構成であればよい。
【００５１】
・位置情報Ｉｐは、緯度および経度に限らず、例えば、商業施設内での位置のように、特定の範囲内において相対的に規定される位置を示す情報であってもよい。こうした場合には、位置情報Ｉｐは、例えば、商業施設内でのフロアの階数のように、高さ方向における位置を示す情報を含んでもよい。位置情報Ｉｐが、特定の範囲内において相対的に規定される位置を示す情報である場合、その位置情報Ｉｐとともにタグ情報Ｉｔに対応付けられているコンテンツ情報Ｉｃは、相対的に規定される位置を示す情報を利用して、上記特定の範囲内における現在地から目的地までの推奨経路が示された地図を提供するサーバのアドレスとされればよい。例えば、位置情報Ｉｐが、ある商業施設内での位置を示す情報である場合、コンテンツとして、その商業施設にて位置情報Ｉｐに対応する現在地からユーザ端末２０に入力された目的地である店舗までの行き方が示された地図が提供される。
【００５２】
また、位置情報Ｉｐおよび目的地情報は、商業施設や駅等の施設の道路地図上での位置を示す情報と、施設内の位置を示す情報である構内情報とを用いて特定の位置を示す情報であってもよい。例えば、位置情報Ｉｐは、ＩＣタグ１０が設置されている施設の道路地図上での位置を示す情報と、施設内でのＩＣタグ１０が設置されている位置を示す情報およびその施設の出入口の位置を示す情報を含む構内情報とを有する。また、目的地情報は、目的地とされた場所を有する施設の道路地図上での位置を示す情報と、施設内での目的地の位置を示す情報およびその施設の出入口の位置を示す情報を含む構内情報とを有する。そして、タグ情報Ｉｔに対応付けられているコンテンツ情報Ｉｃは、これらの情報を利用して、現在地から目的地までの推奨経路が示された地図を提供するサーバのアドレスとされる。
【００５３】
これによれば、図５に示されるように、ＩＣタグ１０が施設Ａ内に設置され、目的地が施設Ｂ内の場所に設定された場合、コンテンツとして、施設Ａ内のＩＣタグ１０が設置されている場所Ｐ１から、施設Ａの出口、施設Ａから施設Ｂまでを結ぶ道路、施設Ｂの入口を経由して、施設Ｂ内の目的地の場所Ｐ２までの推奨経路を提供することができる。こうした構成は、特に都心部など、施設等が密集した場所において、ＧＰＳ情報からは詳細な案内が困難である場合に有効である。また、同一施設内にＩＣタグ１０と目的地とがある場合は、その施設の構内情報を用いて求められた推奨経路をコンテンツとして提供することができる。
【００５４】
・コンテンツ提供サーバ３０は、推奨経路が示された地図を提供するサーバに限らず、位置を示す情報を利用して、その位置の周辺の地図を提供するサーバであってもよい。こうした場合には、ユーザ端末２０からコンテンツ提供サーバ３０には位置情報Ｉｐのみが送信されればよく、ユーザ端末２０には目的地が入力されなくてよい。また、コンテンツ提供サーバ３０は、コンテンツとして地図を提供するサーバに限らず、例えば、位置情報Ｉｐに対応する位置の周辺にある飲食店等の案内をコンテンツとして提供するサーバであってもよく、要は、位置を示す情報を利用してコンテンツを提供するサーバであればよい。
【００５５】
・コンテンツ情報Ｉｃは、コンテンツの提供元に関する情報であればよく、位置を示す情報を利用して多数のコンテンツの中から推薦されるコンテンツを選定し、当該コンテンツの提供元を示す推薦コンテンツ情報を動的に作成するサーバである推薦コンテンツ選定サーバのアドレスであってもよい。情報管理サーバ４０は、タグ情報Ｉｔに基づいて特定したコンテンツ情報Ｉｃが、推薦コンテンツ選定サーバのアドレスであるときに、推薦コンテンツ選定サーバに向けて特定した位置情報Ｉｐを送信する。そして、推薦コンテンツ選定サーバは、位置情報Ｉｐを利用して推薦されるコンテンツを選定し、選定されたコンテンツを提供するサーバのＵＲＬを推薦コンテンツ情報としてユーザ端末２０に送信する。ユーザ端末２０は推薦コンテンツ情報に基づいてコンテンツ提供サーバ３０にアクセスし、コンテンツの提供を受ける。あるいは、推薦コンテンツ選定サーバは、推薦コンテンツ情報とともに位置情報Ｉｐをユーザ端末２０に送信し、ユーザ端末２０は推薦コンテンツ情報と位置情報Ｉｐとに基づいてコンテンツの提供を受けてもよい。これらの場合、情報管理サーバ４０の制御部４２は出力部として機能し、タグ情報Ｉｔに基づいて特定した位置情報Ｉｐとコンテンツ情報Ｉｃとを通信部４１に出力する。こうした位置情報Ｉｐとコンテンツ情報Ｉｃとの利用態様によっても、タグ情報の取得を通じたコンテンツの提供に際して、タグの位置を示す情報の利用が可能となる。
【００５６】
なお、情報管理サーバ４０は、タグ情報Ｉｔを取得して情報管理サーバ４０にアクセスしたユーザ端末２０の識別情報や、アクセス回数等の情報を履歴データとして記憶し、位置情報Ｉｐとともに履歴データを推薦コンテンツ選定サーバに送信してもよい。そして、推薦コンテンツ選定サーバは、位置情報Ｉｐとともに履歴データを利用して推薦されるコンテンツを選定してもよい。
【００５７】
・情報管理サーバ４０にて、１つのタグ情報Ｉｔに複数のコンテンツ情報Ｉｃが対応付けられていてもよい。この場合、情報管理サーバ４０は、タグ情報Ｉｔに加えて、例えば時刻情報等のタグ情報Ｉｔとは異なる付加情報を取得し、付加情報に応じてタグ情報Ｉｔに対応付けられる複数のコンテンツ情報Ｉｃの中から１つのコンテンツ情報Ｉｃを特定する。そして、特定されたコンテンツ情報Ｉｃは、コンテンツ情報Ｉｃとともにタグ情報Ｉｔに対応付けられている位置情報Ｉｐと併せて出力される。こうした構成によれば、１つのＩＣタグ１０を通じて、互いに異なるコンテンツを提供することが可能となる。
【００５８】
・上記実施形態では、ＩＣチップを備えたＩＣタグ１０と、非接触でＩＣタグ１０の有する情報を読み取るユーザ端末２０とを用いたが、これに代えて、例えば二次元バーコード等、端末によって読み取り可能な情報を保持する記憶媒体をタグとして用い、対応する読み取り端末をユーザ端末として用いてもよい。また、タグは、タグが記憶しているタグ情報を、例えばＢｌｕｅｔｏｏｔｈ（登録商標）を利用した無線通信等の近距離無線通信によって発信する装置であってもよく、この場合、ユーザ端末としては、タグが使用する近距離無線通信に対応した通信機能を有してタグ情報を受信可能な端末が用いられる。要は、タグは、タグが有するタグ情報を、ユーザ端末からの要求に応じて、あるいは自発的に、ユーザ端末に受け渡す物であればよい。
【符号の説明】
【００５９】
ＮＷ…ネットワーク、１０…ＩＣタグ、２０…ユーザ端末、３０…コンテンツ提供サーバ、４０…情報管理サーバ、４１…通信部、４２…制御部、４２ａ…情報特定部、４３…記憶部、４３ａ…対応コンテンツデータ。
【図１】
2015138278.tif 000003
【図２】
2015138278.tif 000004
【図３】
2015138278.tif 000005
【図４】
2015138278.tif 000006
【図５】
2015138278.tif 000007